(57)【特許請求の範囲】
【請求項１】
前方に開口する四角形断面に形成された固定側箱状体の両内側面にそれぞれ固定レールを取り付け、両固定レールにそれぞれ滑動自在に装着された両可動レールにそれぞれ可動側箱状体の両外側面を取り付けることにより、可動側箱状体を固定側箱状体の前方開口部から出入りできるようにしたスライドレールの取付構造であって、
前記固定レールは、前記可動レールとの間に介在する転動体をスライド方向に形成された溝内に受け入れて転動自在に支持する転動体収容溝形成部から水平方向に延出する水平面及びこの水平面から鉛直方向上方に折り曲げられた鉛直面を設けてＬ字状断面に形成された取付部と、前記鉛直面に形成されたネジ穴とが設けられてなり、
前記固定側箱状体の両内側面に、前記取付部の鉛直方向高さ寸法に対応する間隔で、下方に内方に突出する受け部と、上方に前記鉛直面の上端部をその厚さ方向で挟持する挟持部と、前記ネジ穴に対応する固定穴とが形成され、
前記固定レールの鉛直面の上端部を前記挟持部内に挿入して前記受け部上に前記取付部の下端を挿入することにより、固定側箱状体にスライドレールが仮固定され、仮固定されたスライドレールを固定穴からネジ穴に螺入するネジにより固定することを特徴とするスライドレールの取付構造。
【請求項２】
受け部は、固定側箱状体の側面を形成する板材の複数箇所を、上端が水平となるように内面側に向けて所要高さに突出形成されてなる請求項１に記載のスライドレールの取付構造。
【請求項３】
挟持部は、固定側箱状体の側面を形成する板材の複数箇所を、鉛直面の上端部を挟持できる高さになるように切り起こし形成されてなる請求項１に記載のスライドレールの取付構造。
【請求項４】
固定側箱状体として形成された洗浄機本体に、可動側箱状体として形成された洗浄槽をスライドレールにより出し入れできるように収容した食器洗浄機である請求項１〜３いずれか一項に記載のスライドレールの取付構造。
【発明の詳細な説明】
【０００１】
【発明の属する技術分野】
本発明は、洗浄槽をスライドレールによりスライドさせて洗浄機本体から引き出すスライドオープン型の食器洗浄機などに適用するのに好適なスライドレールの取付構造に関するものである。
【０００２】
【従来の技術】
筐体から上方に開口する箱状体を引き出して箱状体の開口部を開放するスライドオープンの形態は、家具や家電製品などに広く適用されていることは周知のところである。このような箱状体を筐体から出し入れするためのスライド手段としてスライドレールが用いられる。例えば、食器類を収容して洗浄する洗浄槽を洗浄機本体から前後方向に出し入れするスライドオープン型の食器洗浄機では、洗浄機本体にスライドレールを構成する固定レールを取り付け、この固定レールにボールベアリング等の転動体を介して嵌挿された可動レールを洗浄槽に取り付けることにより、洗浄槽を洗浄機本体から自在に出し入れすることができる。図１３は、スライドレールを用いて洗浄槽を洗浄機本体から前後方向に出し入れするスライドオープン型の食器洗浄機の従来例を示すものである。
【０００３】
図１１において、食器洗浄機は上方に開口する洗浄槽１４を洗浄機本体１５の前面開口部から前後方向に出し入れできるように構成されている。洗浄槽１４の洗浄機本体１５からの出し入れは、図１２に示すように、第１のスライドレール１６にボールベアリング等の転動体を介して第２のスライドレール１７を装着した一対のスライドレールを用いてなされる。第１のスライドレール１６は洗浄機本体１５の両内側面にネジ１６ａによってネジ止め固定され、第２のスライドレール１７は洗浄槽１４の両外側面にネジ１７ａによってネジ止め固定されているので、洗浄槽１４を洗浄機本体１５から引き出し、あるいは押し込むと、洗浄槽１４に固定された第２のスライドレール１７は第１のスライドレール１６内を移動し、両レール間に転動体が介在していることによって洗浄槽１４は円滑な移動によって洗浄機本体１５から出し入れできる（特許文献１参照）。
【０００４】
【特許文献１】
特許第３１２９３１８号公報（第３〜４頁、図１）
【０００５】
【発明が解決しようとする課題】
しかしながら、上記従来技術に係るスライドレールの取付構造では、洗浄槽１４からスライドレールに加わる荷重は、第２のスライドレール１７を洗浄槽１４に固定するネジ１７ａ及び第１のスライドレール１６を洗浄機本体１５に固定するネジ１６ａに剪断方向の力を加える。洗浄槽１４はそれ自体の重量だけでなく、収容した食器類の重量や、洗浄水の重量が加わるため、スライドレールに対する荷重は大きく、ネジ１６ａ，１７ａに加わる剪断方向の力も大きくなる。これに耐え得る強度を確保するには、ネジ止め箇所を増加させ、ネジサイズを大きくすることになり、スライドレールを取り付けるための作業工数が多く、取り付け強度の低下も否めない課題があった。
【０００６】
また、ネジ固定によってスライドレールを取り付けているため、ネジ止め位置を合わせる作業や、ネジ止めするための空間を確保するために第２のスライドレール１７を移動させる作業が伴うなど、作業性に欠ける課題があっった。
【０００７】
本発明は、上記従来技術の課題に鑑みて創案されたもので、その目的とするところは、スライドレール取り付けの作業性を向上させると共に、スライドレールに加わる荷重をネジによって負担することを解消したスライドレールの取付構造を提供することにある。
【０００８】
【課題を解決するための手段】
上記目的を達成するための本発明は、前方に開口する四角形断面に形成された固定側箱状体の両内側面にそれぞれ固定レールを取り付け、両固定レールにそれぞれ滑動自在に装着された両可動レールにそれぞれ可動側箱状体の両外側面を取り付けることにより、可動側箱状体を固定側箱状体の前方開口部から出入りできるようにしたスライドレールの取付構造であって、前記固定レールは、前記可動レールとの間に介在する転動体をスライド方向に形成された溝内に受け入れて転動自在に支持する転動体収容溝形成部と、前記転動体収容溝形成部から水平方向に延出する水平面及びこの水平面から鉛直方向上方に折り曲げられた鉛直面を設けてＬ字状断面に形成された取付部と、前記鉛直面に形成されたネジ穴とが設けられてなり、前記固定側箱状体の両内側面に、前記取付部の鉛直方向高さ寸法に対応する間隔で、下方に内方に突出する受け部と、上方に前記鉛直面の上端部をその厚さ方向で挟持する挟持部と、前記ネジ穴に対応する固定穴とが形成され、前記固定レールの鉛直面の上端部を前記挟持部内に挿入して前記受け部上に前記取付部の下端を圧入することにより、固定側箱状体にスライドレールが仮固定され、仮固定されたスライドレールを固定穴からネジ穴に螺入するネジにより固定することを特徴とする。
【０００９】
上記スライドレールの取付構造によれば、スライドレールはその取付部を固定側箱状体に形成された受け部と挟持部との間に嵌挿することによって仮固定される。取付部を構成する鉛直面の上端部は挟持部によって保持され、水平面は受け部上に載っているので、スライドレールによる荷重は鉛直面の下端を固定側箱体の壁面に押し付けるように作用し、仮固定した状態が安定して維持される。ネジによって固定した後においてもスライドレールに加わる可動側箱状体からの荷重は受け部で受け止めるので、ネジに対して剪断方向に加わる力は小さく、ネジ止め箇所の削減、ネジサイズの縮小を図ることができる。従って、ネジ止めは仮固定されたスライドレールに対して実施できるので、その作業は容易であり、ネジ止めする箇所を削減して取り付け作業の作業性を向上させることができる。
【００１０】
上記構成において、受け部は、固定側箱状体の側面を形成する板材の複数箇所を、上端が水平となるように内面側に向けて所要高さに突出形成することにより、スライドレール及びそれに加わる可動側箱状体からの荷重を受け止める強度を得ることができる。また、受け部を形成するための部材を用意する必要はなく、固定側箱状体を形成する加工工程において同時に受け部を形成することができる。
【００１１】
また、挟持部は、固定側箱状体の側面を形成する板材の複数箇所を、鉛直面の上端部を挟持できる高さになるように切り起こし形成することにより、仮固定時に鉛直面の上端部を挟持して鉛直面の下端を支点として取付部に回転方向に加わる荷重を受け止める強度を得ることができる。また、挟持部を形成するための部材を用意する必要はなく、受け部と共に固定側箱状体を形成する加工工程において同時に受け部を形成することができる。
【００１２】
上記スライドレールの取付構造は、固定側箱状体として形成された洗浄機本体に、可動側箱状体として形成された洗浄槽をスライドレールにより出し入れできるように収容した食器洗浄機に適用するのに好適なものとなる。
【００１３】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１４】
本実施形態はスライドレールの取付構造をスライドオープン型の食器洗浄機に適用した例について示すものである。スライドレールの取付構造を適用した食器洗浄機は、図１に示すように、前方に開口する洗浄機本体（固定側箱状体）３１内に、上方に開口する洗浄槽（可動側箱状体）３２が収容され、洗浄槽３２はスライドレール３３により前後方向に移動可能で、洗浄機本体３１の前方開口部から図示する引き出し終端位置まで引き出すことができるように構成されている。この食器洗浄機は、図示するようにキッチンキャビネット４０内にビルトインするのが基本的な設置形態であるが、洗浄機本体１を設置場所の台上に固定して使用することもできる。
【００１５】
前記洗浄槽３２は、樹脂成形によって形成されタンク７９の前面にドアパネル８０が取り付けられ、図２に示すように、タンク７９内に形成された内槽３４は、上方に向けて開口面積が増加するようにテーパー角度が形成され、その底面側に洗浄ノズル３５、ヒータ７５、残滓フィルタ７６などが配設され、その上方に食器類を収容する食器籠３６が着脱可能に収納される。また、洗浄槽３２の後面には、図３に示すように、前記洗浄ノズル３５から洗浄水を噴射させるための洗浄ポンプ及び排水ポンプを兼用する電動ポンプ３７や、内槽３４内に給排水するための構成要素が配設されている。また、内槽３４内に通じる給水ホース３８及び排水ホース３９は洗浄機本体３１に回動可能に支持されたホースホルダ４６に保持され、前後移動する洗浄槽３２に追従してホースホルダ４６が回動することにより、移動する洗浄槽３２に対する給水ホース３８及び排水ホース３９の接続状態の安定化が図られている。
【００１６】
また、前記スライドレール３３は、図４、図５に示すように、洗浄機本体３１の両側面の内面側に固定される固定レール４１と、洗浄槽３２の両側面の外面側に固定される可動レール４２との間に、両レールにボールベアリング（転動体）４７を介して中間レール４３が嵌挿された３段構造に構成されている。前記固定レール４１には、中間レール４３をボールベアリング４７を介して支持する転動体収容溝の側面から水平方向に延出形成された水平面４４ａ及び水平面４４ａから鉛直方向に直角に折り曲げられた鉛直面４４ｂとを設けてＬの字状断面に形成された取付部４４が形成されている。このスライドレール３３は洗浄機機本体３１の両側面の内側に、図６、図７に示すように取り付けられる。
【００１７】
図６において、洗浄機本体３１は金属板材により前面が開口する箱状に形成され、その両側面には、前記取付部４４を保持してスライドレール３３を支持するための受け部４８と挟持部４９とが形成されている。前記受け部４８及び挟持部４９は、図７に示すように、洗浄機本体３１の板面を突き出し加工して前記取付部４４の鉛直方向高さ寸法に対応する間隔に形成され、図示するように挟持部４９内に取付部４４の鉛直面４４ｂ上端部を挿入し、受け部４８上に水平面４４ａを挿入すると、スライドレール３３は洗浄機本体３１の側面に仮固定された状態になる。鉛直面４４ｂの上端部が挟持部４９で保持されるため、スライドレール３３はその重さにより鉛直面４４ｂの下端を洗浄機本体３１の壁面に押し付ける状態となり、受け部４８上に取付部４４が載った仮固定状態が安定して維持される。
【００１８】
この仮固定状態からもわかるように、スライドレール３３に加わる荷重、即ち洗浄槽３２の重量は、受け部４８で受け、取付部４４を壁面に押し付けることで支持されるので、仮固定されたスライドレール３３の洗浄機本体３１へのネジ固定は、スライドレール３３の仮固定位置を保持することが主たる目的となる。従って、ネジ止め箇所は少なくてもよく、洗浄機本体３１の壁面に設けられた２か所の固定穴７７から、それに対応する取付部４４に形成された２か所のネジ穴５０にネジ５１を螺入するだけでよい。
【００１９】
一方、前記可動レール４２に固定される洗浄槽３２のタンク７９には、その両側面の外面に、図７、図８に示すように、可動レール４２に固定するための支持部４５が突出形成されており、洗浄機本体３１に固定されたスライドレール３３に、可動レール４２上に支持部４５を載置し、洗浄槽３２を可動レール４２上で後方向に摺動するように押し込むと、図９に示すように、支持部４５の後面から後方に向けて突出する嵌合突起５２が可動レール４２の後方側にＬの字状に切り起こされた切り起こし部５３内に挿入され、支持部４５の前方側において下方に突出する突起部５４は、その先端が可動レール４２に形成された開口部５５に嵌まり込み、スライドレール３３に対する洗浄槽３２の位置決めがなされる。洗浄槽３２はその両側面でスライドレール３３上に位置決めされて安定した載置状態となるが、この状態を維持するために支持部４５の前方側に形成された固定穴６７から可動レール４２に形成されたネジ穴９１にネジ９２を螺入することにより、洗浄槽３２は可動レール４２に固定される。
【００２０】
スライドレール３３は前述したように３段構造であり、洗浄槽３２を洗浄機本体３１から引き出すと、洗浄槽３２が固定された可動レール４２は中間レール４３上を滑動し、中間レール４３は可動レール４２の移動に遅れて固定レール４１上を移動する。図１０は、洗浄槽３２の洗浄機本体３１からの引き出し操作に伴う可動レール４２及び中間レール４３の移動状態を示すもので、図１０（ａ）は洗浄槽３２が洗浄機本体３１内に収容された状態、図１０（ｂ）は洗浄槽３２を引き出し終端位置まで引き出した状態である。図１０（ａ）に示す状態から洗浄槽３２の引き出し操作が開始されると、洗浄槽３２が固定された可動レール４２は仮想線で示すように中間レール４３上を移動し始める。可動レール４２の移動に伴って可動レール４２と中間レール４３との間に介在する複数のボールベアリング４７を所定間隔に捕捉する保持器９０が常に可動レール４２と中間レール４３との間に介在するように、中間レール４３は可動レール４２が所定位置まで移動したのに追動して固定レール４１上を移動し始める。中間レール４３と固定レール４１との間にも可動レール４２と同様に複数のボールベアリング４７を所定間隔に捕捉する保持器９０が介在しており、図１０（ｂ）に示すように、洗浄槽３２を引き出し終端位置まで引き出したとき、固定レール４１上には前記保持器９０の長さに相当する中間レール４３の約１／２長さが嵌挿された状態にあり、約１／２が固定レール４１から突き出るまでに移動する。また、可動レール４２は、その約１／２に中間レール４３が嵌挿され、約１／２長さが中間レール４３より突き出るまでに移動させることができるので、洗浄槽３２の洗浄機本体３１からの引き出し量を大きくすることが可能となる。
【００２１】
また、上記のように３段構造のスライドレール３３では、固定レール４１から可動レール４２を大きく引き出した状態でも、両レールの間に中間レール４３が存在するので、引き出された可動レール４２に洗浄槽３２の荷重が加わっても、洗浄槽３２のドアパネル８０側が下がる度合いは少なく、洗浄槽３２の円滑な出し入れ操作がなされる。
【００２２】
上記スライドレール３３の構造及びその取付構造により洗浄槽３２の洗浄機本体３１からの引き出し量は、図１に示すように、内槽３４の後面上方部分（Ａ）がカウンタートップ６１の前方端より前方側になるように引き出すことが可能となる。スライドオープン型の食器洗浄機において、内槽３４の上方が全て開放されるまでに洗浄槽３２が引き出せることにより、内槽３４からの食器の出し入れや洗浄後の残滓処理の作業が容易となる絶大なる効果が得られる。
【００２３】
以上説明したスライドレールの取付構造は、スライドオープン型の食器洗浄機に適用した実施例を示したが、スチール家具における引出し、冷蔵庫の引き出し式冷凍室など、スライドレールを設けた構造に適用することができる。
【００２４】
【発明の効果】
以上の説明の通り本発明によれば、スライドレールはその取付部を固定側箱状体に形成された受け部と挟持部との間に嵌挿することによって仮固定され、取付部を構成する鉛直面の上端部は挟持部によって保持され、水平面は受け部上に載っているので、スライドレールによる荷重は鉛直面の下端を固定側箱体の壁面に押し付けるように作用し、仮固定した状態が安定して維持される。ネジによって固定した後においてもスライドレールに加わる可動側箱状体からの荷重は受け部で受け止めるので、ネジに対して剪断方向に加わる力は小さく、ネジ止め箇所の削減、ネジサイズの縮小を図ることができる。従って、ネジ止めは仮固定されたスライドレールに対して実施できるので、その作業は容易であり、ネジ止めする箇所を削減して取り付け作業の作業性を向上させることができる。
【図面の簡単な説明】
【図１】食器洗浄機における洗浄槽の引き出し状態を示す側面図。
【図２】洗浄槽の内槽構造を示す斜視図。
【図３】洗浄槽後面に配置された構成要素を示す背面図。
【図４】スライドレールの構成を示す斜視図。
【図５】スライドレールの構成を示す断面図。
【図６】洗浄機本体に対するスライドレール取付構造を示す側面図。
【図７】スライドレールの取付構造を示す拡大断面図。
【図８】スライドレール取付構造を示す断面図。
【図９】同上側面図。
【図１０】スライドレールの滑動動作を説明する側面図。
【図１１】従来技術に係る食器洗浄機の構成を示す断面図。
【図１２】同上構成におけるスライドレールの取付構造を示す断面図。
【符号の説明】
３１  洗浄機本体（固定側箱状体）
３２  洗浄槽（可動側箱状体）
３３  スライドレール
４１  固定レール
４２  可動レール
４３  中間レール
４４  取付部
４４ａ  水平面
４４ｂ  鉛直面
４７  ボールベアリング（転動体）
４８  受け部
４９  挟持部
５０  ネジ穴
５１  ネジ
【図１】
0003688262.tif 000002
【図２】
0003688262.tif 000003
【図３】
0003688262.tif 000004
【図４】
0003688262.tif 000005
【図５】
0003688262.tif 000006
【図６】
0003688262.tif 000007
【図７】
0003688262.tif 000008
【図８】
0003688262.tif 000009
【図９】
0003688262.tif 000010
【図１０】
0003688262.tif 000011
【図１１】
0003688262.tif 000012
【図１２】
0003688262.tif 000013